【手続補正書】
【提出日】平成21年4月24日(2009.4.24)
【手続補正１】
【補正対象書類名】明細書
【補正対象項目名】００７１
【補正方法】変更
【補正の内容】
【００７１】
上部パネル部分５９０、下部パネル部分５９２、および中間パネル部分５９４（図１６に示す）は、各側面６０２、６０４、６０６、および６０８の上部６１８、下部６２０、および中間部６２２をそれぞれ構成する。最上部６１０と、各側面６０２、６０４、６０６、および６０８とが交わる部分には、コーナー部６２４が形成される。同様に、底部６１２と、各側面６０２、６０４、６０６、および６０８とが交わる部分には、コーナー部６２６が形成される。さらに、側面６０２、６０４、６０６、および６０８の各隣接面が交わる部分には、コーナー部６２８が形成される。また、上述したように、側面６０２、６０４、６０６、および６０８は、曲縁５９７をそれぞれ備えている。一実施形態において、曲縁５９７は、カートン６００の高さの一部だけにわたって延びているが、その代わりに、曲縁５９７は、カートン６００の最上部６１０から底部６１２まで延びてもよい。
【手続補正２】
【補正対象書類名】明細書
【補正対象項目名】００８７
【補正方法】変更
【補正の内容】
【００８７】
具体的には、可動部分７７２（延長部７５４）は、部分７７２が側面７４４に対して斜めに角度がつくように、折り線７２４に沿ってカートン７４０の内部に向かって湾曲される。同様に、可動部分７７６（延長部７５８）は、部分７７６が側面７４６に対して斜めに角度がつくように、そして、部分７７６が部分７７２を少なくとも部分的に覆うように、折り線７３０に沿ってカートン７４０の内部に向かって湾曲される。可動部分７７４（延長部７５６）も、部分７７４が側面７４８に対して斜めに角度がつくように、折り線７２６に沿ってカートン７４０の内部に向かって湾曲される。同様に、可動部分７７８（延長部７６０）は、部分７７８が側面７４６に対して斜めに角度がつくように、そして、部分７７８が部分７７４を少なくとも部分的に覆うように、折り線７３４に沿ってカートン７４０の内部に向かって湾曲される。図２２において分かるように、一実施形態において、第１の位置７８０から第２の位置７８２への移動は、開口７３８（図２０に示す）を少なくとも部分的に閉じる。また、曲縁７３６により、第１の位置７８０から第２の位置７８２への移動は、側面７４６が曲面を有するように側面７４６を湾曲させる（あるいは、その曲率を増加させる）。一実施形態において、側面７４６の一部のみが、図２２に示すように第２の位置７８２において湾曲する。一方、別の実施形態では、側面７４６は、カートン７４０の最上部７５０から底部７５２にわたって湾曲する。一実施形態において、可動部分７７２、７７４、７７６、および７７８のうち少なくとも一つは、第１の位置７８０に付勢される。可動部分７７２、７７４、７７６、および７７８は、任意の適切な手段を用いることにより第１の位置７８０に付勢されてもよいが、一実施形態では、カートン７４０の構造により可動部分７７２、７７４、７７６、および７７８を付勢する。
【手続補正３】
【補正対象書類名】明細書
【補正対象項目名】００９４
【補正方法】変更
【補正の内容】
【００９４】
一実施形態において、カートン７４０および／または層７８８は、その表面に、製品、製品の製造業者、および／または製品の販売業者を知らせる目印などの表示を備えているが、これらに限定されるものではない。例えば、製品の名称を示すとともに製品を簡潔に説明する印刷テキスト、製品の製造業者および／または販売業者を示すロゴおよび商標、および／または注目を引くデザインおよび／または装飾などが挙げられる。
【手続補正４】
【補正対象書類名】明細書
【補正対象項目名】００９８
【補正方法】変更
【補正の内容】
【００９８】
各側面パネル１０２２、１０２４、１０２６および１０２８は、底端１０５２と最上端１０５４との間の測定高さにわたって延びている。図２４に示すように、最上部支持パネル１０５６は、折り線１０５８に沿って最上端１０５４において側面パネル１０２２から延びており、底部支持パネル１０６０は、折り線１０６２に沿って底端１０５２において側面パネル１０２２から延びている。また、最上部支持パネル１０６４は、折り線１０６６に沿って最上端１０５４において側面パネル１０２６から延びており、底部支持パネル１０６８は、折り線１０７０に沿って底端１０５２において側面パネル１０２６から延びている。最上部支持パネル１０６４を最上部支持パネル１０５６に接続して、図２５に示す、カートン１１００の最上部１１１６を構成する。一実施形態において、最上部支持パネル１０６４は、そこから延びる少なくとも一つのタブ１０７２を備えており、このタブを、最上部支持パネル１０５６に形成された協働スリット１０７４に係合させることにより、最上部支持パネル１０６４を最上部支持パネル１０５６に固定して最上部１１１６を構成する。底部支持パネル１０６８を底部支持パネル１０６０に接続して、図２５に示す、カートン１１００の底部１１１４を構成する。図２４に示すように、一実施形態において、底部支持パネル１０６８は、ＶＥＬＣＲＯファスナー（ＶＥＬＣＲＯは、オランダ、キュラソーのベルクロ工業（ＶＥＬＣＲＯ  Ｉｎｄｕｓｔｒｉｅｓ  Ｂ．Ｖ．）の登録商標）などのマジックテープのフック部１０７５を少なくとも一つ備えており、このファスナーが、底部支持パネル１０６０に位置するマジックテープのループ部（図示せず）と協働することにより、底部支持パネル１０６８が底部支持パネル１０６０に固定される。一実施形態において、最上部フラップ１０８０は、最上部支持パネル１０５６、１０６４と協働して最上部１１１６を構成するために、最上端１０５４において折り線１０８２に沿って側面パネル１０２４および／または１０２８に接続されている。同様に、底部フラップ１０８４は、底部支持パネル１０６０、１０６８と協働して底部１１１４を構成するために、底端１０５２において折り線１０８６に沿って側面パネル１０２４および／または側面パネル１０２８に接続されている。当業者には明らかであるとともに、ここで示す教示によって導かれるように、任意の適切な接続手段を用いて、最上部支持パネル１０５６を最上部支持パネル１０６４に接続すること、および／または底部支持パネル１０６０を底部支持パネル１０６８に接続することが可能である。例えば、一実施形態においては、最上部支持パネル１０５６、１０６４、底部支持パネル１０６０、１０６８、最上部フラップ１０８０および／または底部フラップ１０８４に接着剤を塗布して各パネルを接続する。
【手続補正５】
【補正対象書類名】明細書
【補正対象項目名】０１０３
【補正方法】変更
【補正の内容】
【０１０３】
図２５に示すように、カートン１１００は、ブランク１０２０を折り線１０３６、１０３８、１０４０、１０４８、１０５８、１０６２、１０６６、１０７０、１０８２および１０８６に従って折り曲げることにより、ブランク１０２０から形成される。一実施形態において、ブランク１０２０に部分的に接着剤を塗布してカートン１１００を固定してもよい。最上部支持パネル１０５６、１０６４、および最上部フラップ１０８０は、最上部１１１６を構成する。底部支持パネル１０６０、１０６８、および底部フラップ１０８４は、底部１１１４を構成する。カートン１１００は、カートン１１００内を延びる中央縦軸１１２０に沿ってカートン１１００の最上部１１１６と底部１１１４との間の測定高さ１１１８にわたって延びている。一旦カートン１１００が形成されると、カートン１１００内への製品の配置前、配置と同時、または配置後に、熱収縮パッチ１０９０を熱収縮させて、図２６に示すように包装組立体１１５０を形成する。
【手続補正６】
【補正対象書類名】明細書
【補正対象項目名】０１１６
【補正方法】変更
【補正の内容】
【０１１６】
図３０に示すように、可動側面パネル１２０２には、折り線１２１８に対応する第１の側縁に沿って、第１の空隙１２６４が部分的に形成されているとともに、折り線１２１０に対応する第２の側縁に沿って、第２の空隙１２６６が部分的に形成されている。折り線１２１８に沿って可動側面パネル１２０２に接続されている側面パネル・フラップ１２１６には、第１の空隙１２６４の残り部分が形成されている。折り線１２１０に沿って可動側面パネル１２０２に接続されている可動側面パネル１２０４には、第２の空隙１２６６の残り部分が形成されているとともに、折り線１２１２に対応する第２の側縁に沿って、第３の空隙１２６８が部分的に形成されている。折り線１２１２に沿って可動側面パネル１２０４に接続されている可動側面パネル１２０６には、第３の空隙１２６８の残り部分が形成されているとともに、折り線１２１４に対応する第２の側縁に沿って、第４の空隙１２７０が部分的に形成されている。折り線１２１４に沿って可動側面パネル１２０６に接続されている可動側面パネル１２０８には、第４の空隙１２７０の残り部分が形成されている。一実施形態において、可動側面パネル１２０８には、カートン１２６７の組立時に側面パネル・フラップ１２１６により形成される第１の空隙１２６４の残りの部分に概ね対応する弧状部分がさらに形成される。
【手続補正７】
【補正対象書類名】明細書
【補正対象項目名】０１２３
【補正方法】変更
【補正の内容】
【０１２３】
最上部支持パネル１３３４は、折り線１３３６に沿って、最上端１３３２において側面パネル１３０２から延びており、底部支持パネル１３３８は、折り線１３４０に沿って、底端１３３０において側面パネル１３０２から延びている。また、最上部支持パネル１３４２は、折り線１３４４に沿って、最上端１３３２において側面パネル１３０８から延びており、底部支持パネル１３４６は、折り線１３４８に沿って、底端１３３０において側面パネル１３０８から延びている。最上部支持パネル１３４２および底部支持パネル１３４６は、そこから各折り線１３５４および１３５６に沿って延びる二つの固定タブ１３５０および１３５２をそれぞれ備えており、最上部支持パネル１３４２および底部支持パネル１３４６の側面パネル１３０２、１３０４、１３０６、１３０８、１３１０および１３１２に対する固定を容易にして、図３４に示すように、カートン１４００の最上部１４１４と底部１４１６をそれぞれ構成する。一実施形態において、タブ１３５８は、折り線１３５９に沿って、最上端１３３２および／または底端１３３０において側面パネル１３０６および／または側面パネル１３１０から延びており、固定タブ１３５０または１３５２と接続してカートン１４００を形成する。別の実施形態においては、任意の適切な接続手段を用いて最上部支持パネル１３３４、１３４２および／または底部支持パネル１３３８および／または１３４６を側面パネル１３０２、１３０４、１３０６、１３０８、１３１０および／または１３１２に固定して、カートン１４００を形成する。
【手続補正８】
【補正対象書類名】明細書
【補正対象項目名】０１２７
【補正方法】変更
【補正の内容】
【０１２７】
図３４に示すように、カートン１４００は、ブランク１３００を折り線１３１４、１３１６、１３１８、１３２０、１３２２、１３２６、１３３６、１３４０、１３４４、１３４８、１３５４、１３５６および１３５９に従って折り曲げることにより、ブランク１３００から形成される。一実施形態において、ブランク１３００に部分的に接着剤を塗布してカートン１４００を固定してもよい。最上部支持パネル１３３４、１３４２は、カートン１４００の最上部１４１４を構成し、底部支持パネル１３３８、１３４６は、カートン１４００の底部１４１６を構成する。カートン１４００は、カートン１４００内を延びる中央縦軸１４２０に沿ってカートン１４００の最上部１４１４と底部１４１６との間の測定高さ１４１８にわたって延びている。図３４に示すように、第１のあるいは収縮前の形態において、カートン１４００は、中央縦軸１４２０に対して略垂直方向に延びる略六角形の断面形状を備えている。一旦カートン１４００が形成されると、カートン１４００内への製品の配置前、配置と同時、または配置後に、熱収縮パッチ１３８２を熱収縮させて、図３５に示すように包装組立体１４５０を形成する。
【手続補正９】
【補正対象書類名】明細書
【補正対象項目名】０１３１
【補正方法】変更
【補正の内容】
【０１３１】
図３６を参照すると、一実施形態において、ブランク１５００は、内面１５０１と、対向する外面とを有している。ブランク１５００は、三つの連続した側面パネル１５０４、１５０６、１５０８からなる第１の組１５０２と、三つの連続した側面パネル１５１２、１５１４および１５１６からなる第２の組１５１０とを備えている。側面パネル１５０４、１５０６および１５０８は、予め形成された折り線１５１８および１５２０を介して互いに接続されており、同様に、側面パネル１５１２、１５１４および１５１６も予め形成された折り線１５２２および１５２４を介して互いにそれぞれ接続されている。第１の組１５０２は、底部支持パネル１５２６によって第２の組１５１０に結合されている。この実施形態において、側面パネル１５０６は、折り線１５２８に沿って底部支持パネル１５２６に接続されており、側面パネル１５１４は、折り線１５２８に概ね対向する折り線１５２９に沿って底部支持パネル１５２６に接続されている。さらに、折り線１５３０、および概ね対向するとともに平行である折り線１５３１も、図３６に示すように底部支持パネル１５２６に形成されている。各側面パネル１５０４、１５０６および１５０８は、最上端１５５２と底端１５５４との間の測定高さにわたって延びており、各側面パネル１５１２、１５１４および１５１６は、最上端１５５６と底端１５５８との間の測定高さにわたって延びている。側面パネル１５０４を側面パネル１５１２に結合するとともに、側面パネル１５０８を側面パネル１５１６に結合することにより、図３７に示すようにカートン１６００を形成する。
【手続補正１０】
【補正対象書類名】明細書
【補正対象項目名】０１３２
【補正方法】変更
【補正の内容】
【０１３２】
ブランク１５００は、折り線１５３４に沿って側面パネル１５１４に接続されており、そこから外側に延びる第１の最上部支持パネル１５３２をさらに備えている。第１の最上部支持パネル１５３２は、タブ１５３６を備えている。対向する第２の最上部支持パネル１５３８は、折り線１５４０に沿って側面パネル１５０６に接続されており、そこから外側に延びている。第２の最上部支持パネル１５３８には、スロット１５４２が作成または形成されている。第１の最上部支持パネル１５３２が側面パネル１５１４に対して折り曲げられているとともに、第２の最上部支持パネル１５３８が側面パネル１５０６に対して折り曲げられている状態で、タブ１５３６をスロット１５４２に係合させることにより、第１の最上部支持パネル１５３２を第２の最上部支持パネル１５３８に固定して、図３７に示すように、カートン１６００を形成する。別の実施形態においては、任意の適切な接続手段を用いることにより、最上部支持パネル１５３２と最上部支持パネル１５３８とを接続する。例えば、最上部支持パネル１５３２および／または最上部支持パネル１５３８に部分的に接着剤を塗布する。図３６に示すように、一実施形態において、折り線１５４６に沿って第１の最上部パネル１５４４を側面パネル１５０４に接続するとともに、折り線１５５０に沿って第２の最上部パネル１５４８を側面パネル１５０８に接続することにより、カートン１６００の最上部に対するさらなる支持体を設ける。
【手続補正１１】
【補正対象書類名】明細書
【補正対象項目名】０１４４
【補正方法】変更
【補正の内容】
【０１４４】
図３９に示すように、側面パネル１７０２、１７０４、１７０６および／または１７０８の少なくとも一部、最上部支持パネル１７２６および／または１７３４の少なくとも一部、および／または底部支持パネル１７３０および／または１７３８の少なくとも一部は、最初に付勢される第１の位置と、第２の位置との間を移動可能になっている。一実施形態において、側面パネル１７０２および１７０６と、最上部支持パネル１７２６および１７３４と、底部支持パネル１７３０および１７３８とは、移動可能になっている。この実施形態において、可動側面パネル１７０２には、折り線１７２８に沿って第１の空隙１７６０が部分的に形成されているとともに、折り線１７３２に沿って第２の空隙１７６２が部分的に形成されている。折り線１７２８に沿って可動側面パネル１７０２に接続されている可動最上部支持パネル１７２６には、第１の空隙１７６０の残り部分が形成されており、折り線１７３２に沿って可動側面パネル１７０２に接続されている可動底部支持パネル１７３０には、第２の空隙１７６２の残り部分が形成されている。可動側面パネル１７０６には、折り線１７３６に沿って第３の空隙１７６４が部分的に形成されているとともに、折り線１７４０に沿って第４の空隙１７６６が部分的に形成されている。折り線１７３６に沿って可動側面パネル１７０６に接続されている可動最上部支持パネル１７３４には、第３の空隙１７６４の残り部分が形成されており、折り線１７４０に沿って可動側面パネル１７０６に接続されている可動底部支持パネル１７３８には、第４の空隙１７６６の残り部分が形成されている。
【手続補正１２】
【補正対象書類名】明細書
【補正対象項目名】０１４６
【補正方法】変更
【補正の内容】
【０１４６】
第２の熱収縮パッチ１７７４をブランク１７００の内面１７０１に結合させることにより、空隙１７６４および空隙１７６６を覆う。特定の実施形態において、仮想線１７７６で概ね示され、空隙１７６４および１７６６を実質的に包囲および／または限定する境界線または領域に少なくとも沿って、熱収縮パッチ１７７４を可動側面パネル１７０６、可動最上部支持パネル１７３４および可動底部支持パネル１７３８に結合させる。内面１７０１および／または熱収縮パッチ１７７４の一部に接着材料または接着層を塗布するとともに、適度に加圧して熱収縮パッチ１７７４を内面１７０１に結合させるなど、任意の適切な結合処理を用いることにより、可動側面パネル１７０６、可動最上部支持パネル１７３４および可動底部支持パネル１７３８において、熱収縮パッチ１７７４を内面１７０１に結合させる。
【手続補正１３】
【補正対象書類名】明細書
【補正対象項目名】０１５０
【補正方法】変更
【補正の内容】
【０１５０】
図４０および４１をさらに参照すると、側面パネル１７０２、１７０４、１７０６および１７０８の少なくとも一部は、図４０に示すような第１の位置と、図４１に示すような第２の位置との間を移動可能になっている。従って、第１の位置と第２の位置との間の移動は、カートン１８００の高さ１８１８に沿って側面パネル１７０２、１７０４、１７０６および１７０８間に形成されるカートン１８００の断面積を変動または変化させる。特定の実施形態において、各可動側面パネル１７０２、１７０４、１７０６および／または１７０８は、図４０に示すように、第１の位置に付勢される。この実施形態において、可動側面パネル１７０２、１７０４、１７０６および／または１７０８は、可動側面パネル１７０２、１７０４、１７０６および／または１７０８を付勢するカートン１８００の構造など、任意の適切な手段を用いることにより、第１の位置に付勢される。
【手続補正１４】
【補正対象書類名】図面
【補正対象項目名】図８
【補正方法】変更
【補正の内容】
【図８】
2008543611.tif 000001
【手続補正１５】
【補正対象書類名】図面
【補正対象項目名】図３１
【補正方法】変更
【補正の内容】
【図３１】
2008543611.tif 000002